(57)【要約】【課題】簡素な構成にて熱源へ風を集中させることができる扇風機を提供する。【解決手段】扇風機は、回転ファンと、該回転ファンによって送出された気体を加熱する熱源と、該熱源を配置する配置孔及び気体が通流する第１通気孔を有する通気部と、前記配置孔に対応する開口を有し、前記第１通気孔を開閉する可動式のシャッタとを備え、前記シャッタが前記第１通気孔を閉鎖した場合、前記配置孔及び第１通気孔は連通している。第１通気孔を閉鎖した場合、風は配置孔及び開口に集中する。【選択図】図６
2018178834.tif 000002
【特許請求の範囲】
【請求項１】
回転ファンと、
該回転ファンによって送出された気体を加熱する熱源と、
該熱源を配置する配置孔及び気体が通流する第１通気孔を有する通気部と、
前記配置孔に対応する開口を有し、前記第１通気孔を開閉する可動式のシャッタと
を備え、
前記シャッタが前記第１通気孔を閉鎖した場合、前記配置孔及び第１通気孔は連通していること
を特徴とする扇風機。
【請求項２】
前記シャッタ及び回転ファンは対向しており、
前記シャッタは、気体が通流する複数の第２通気孔を有し、
隣合う二つの前記第２通気孔の間に、前記回転ファンに向けて突出しており、前記第１通気孔を閉鎖する閉鎖部が設けられており、
前記閉鎖部の突出方向に交差する方向において、前記閉鎖部の前記回転ファン側の幅が前記回転ファンの反対側の幅よりも短くなること
を特徴とする請求項１に記載の扇風機。
【請求項３】
前記シャッタの開閉を検知する検知部と、
前記検知部の信号が入力される制御部と
を備え、
前記検知部が前記シャッタの閉を検知した場合、前記制御部は前記熱源をオンにし、
前記検知部が前記シャッタの開を検知した場合、前記制御部は前記熱源をオフにすること
を特徴とする請求項２に記載の扇風機。
【請求項４】
前記検知部が前記シャッタの閉を検知した場合、前記制御部は前記回転ファンの回転速度を低くし、
前記検知部が前記シャッタの開を検知した場合、前記制御部は前記回転ファンの回転速度を高くすること
を特徴とする請求項３に記載の扇風機。
【請求項５】
前記回転ファンを収容し、前記回転ファンの回転軸に交差する軸回りに回転可能な収容部と、
該収容部を回転可能に支持する支持部と、
前記収容部に設けられており、前記収容部の回転を停止させるための係止部と、
前記支持部に設けられており、前記係止部を受ける被係止部と
を備えることを特徴とする請求項１から４のいずれか一つに記載の扇風機。
【請求項６】
前記シャッタに取手が設けられており、
前記収容部が一方向に回転した場合、前記取手は前記支持部に当接可能であること
を特徴とする請求項５に記載の扇風機。
【請求項７】
前記熱源は
複数のヒータと、
該複数のヒータを支持する支持枠と
を有し、
前記複数のヒータは前記回転ファンの回転中心軸の周囲に配置されており、
前記ヒータにおける前記回転中心軸側部分が前記支持枠に連結されていること
を特徴とする請求項１から６のいずれか一つに記載の扇風機。
【請求項８】
スタンドを備え、
前記ヒータは前記スタンド側に配置されていること
を特徴とする請求項７に記載の扇風機。
【発明の詳細な説明】
【技術分野】
【０００１】
本発明は、熱源及び回転ファンを備える扇風機に関する。
【背景技術】
【０００２】
従来、熱源と、回転ファンと、半球状をなし、前記回転ファンを覆う熱輻射手段とを備える扇風機が提案されている。回転ファンの回転によって、風は熱源に当たって加熱され、その後、熱輻射手段に沿って送出される。そのため、ユーザに直接温風が当たることが防止される（例えば特許文献１参照）。
【先行技術文献】
【特許文献】
【０００３】
【特許文献１】特開２００３―２８４５４号公報
【発明の概要】
【発明が解決しようとする課題】
【０００４】
特許文献１の扇風機は、温風を送風する為に、まずは熱源に風を集中させている。しかし、熱源に風を集中させる為には、熱輻射手段を精度よく設計する必要があり、また熱輻射手段に対する回転ファンの位置決めも精度よく行う必要がある。
【０００５】
本発明は斯かる事情に鑑みてなされたものであり、簡素な構成にて熱源へ風を集中させることができる扇風機を提供することを目的とする。
【課題を解決するための手段】
【０００６】
本発明に係る扇風機は、回転ファンと、該回転ファンによって送出された気体を加熱する熱源と、該熱源を配置する配置孔及び気体が通流する第１通気孔を有する通気部と、前記配置孔に対応する開口を有し、前記第１通気孔を開閉する可動式のシャッタとを備え、前記シャッタが前記第１通気孔を閉鎖した場合、前記配置孔及び第１通気孔は連通していることを特徴とする。
【０００７】
本発明においては、シャッタが第１通気孔を閉鎖した場合、配置孔及び開口は連通している。風は第１通気孔を通流することができないので、配置孔及び開口に集中する。配置孔に熱源が配置されているので、風は熱源に集中する。
【０００８】
本発明に係る扇風機は、前記シャッタ及び回転ファンは対向しており、前記シャッタは、気体が通流する複数の第２通気孔を有し、隣合う二つの前記第２通気孔の間に、前記回転ファンに向けて突出しており、前記第１通気孔を閉鎖する閉鎖部が設けられており、前記閉鎖部の突出方向に交差する方向において、前記閉鎖部の前記回転ファン側の幅が前記回転ファンの反対側の幅よりも短くなることを特徴とする。
【０００９】
本発明においては、閉鎖部の幅は回転ファン側（風の上流側）が短く、回転ファンの反対側（風の下流側）が長い。風の下流側の幅が長いので、閉鎖部が第１通気孔を閉鎖する場合、確実に閉鎖することができる。閉鎖部が第１通気孔を閉鎖していない場合、第１通気孔及び第２通気孔は連通され、閉鎖部は、風の通流方向において、第１通気孔及び第２通気孔に重ならない位置に配されている。閉鎖部の上流側の幅は狭いので、閉鎖部が第１通気孔に向かう風の流れを妨げることを抑制することができる。
【００１０】
本発明に係る扇風機は、前記シャッタの開閉を検知する検知部と、前記検知部の信号が入力される制御部とを備え、前記検知部が前記シャッタの閉を検知した場合、前記制御部は前記熱源をオンにし、前記検知部が前記シャッタの開を検知した場合、前記制御部は前記熱源をオフにすることを特徴とする。
【００１１】
本発明においては、シャッタが第１通気孔を閉じた場合に熱源がオンになり、熱源に当たった風は加熱される。シャッタが第１通気孔を開いた場合に熱源がオフになり、熱源に当たっても風は加熱されない。
【００１２】
本発明に係る扇風機は、前記検知部が前記シャッタの閉を検知した場合、前記制御部は前記回転ファンの回転速度を低くし、前記検知部が前記シャッタの開を検知した場合、前記制御部は前記回転ファンの回転速度を高くすることを特徴とする。
【００１３】
本発明においては、シャッタが第１通気孔を閉じた場合に風量が小さくなり、風量が小さくならない場合に比べて、風はより高い温度に加熱され、ユーザに供給される。シャッタが第１通気孔を開いた場合に風量は大きくなり、ユーザに大風量が供給される。
【００１４】
本発明に係る扇風機は、前記回転ファンを収容し、前記回転ファンの回転軸に交差する軸回りに回転可能な収容部と、該収容部を回転可能に支持する支持部と、前記収容部に設けられており、前記収容部の回転を停止させるための係止部と、前記支持部に設けられており、前記係止部を受ける被係止部とを備えることを特徴とする。
【００１５】
本発明においては、係止部が被係止部に当接することによって、収容部が回転しすぎることを防止できる。
【００１６】
本発明に係る扇風機は、前記シャッタに取手が設けられており、前記収容部が一方向に回転した場合、前記取手は前記支持部に当接可能であることを特徴とする。
【００１７】
本発明においては、シャッタの取手が支持部に当接し、ストッパとしても機能する。
【００１８】
本発明に係る扇風機は、前記熱源は複数のヒータと、該複数のヒータを支持する支持枠とを有し、前記複数のヒータは前記回転ファンの回転中心軸の周囲に配置されており、前記ヒータにおける前記回転中心軸側部分が前記支持枠に連結されていることを特徴とする。
【００１９】
本発明においては、複数のヒータと支持枠との連結部分が、回転ファンの回転中心軸側に配置されている。回転中心軸付近の風は、回転中心軸から離れた箇所の風に比べて、風量が小さい。ヒータの連結部分は発熱しないので、連結部分を回転中心軸側に配置することによって、ヒータにおける発熱量の多い部分は、回転中心軸から離れた箇所、即ち風量の大きい箇所に配置される。
【００２０】
本発明に係る扇風機はスタンドを備え、前記ヒータは前記スタンド側に配置されていることを特徴とする。
【００２１】
本発明においては、ヒータはスタンド側、換言すれば下側に配置され、床面に温風が届きやすくなる。
【発明の効果】
【００２２】
本発明に係る扇風機にあっては、シャッタが第１通気孔を閉鎖した場合、配置孔及び開口は連通される。風は第１通気孔を通流することができないので、配置孔及び開口に集中する。配置孔に熱源が配置されているので、風は熱源に集中する。簡素な構成にて、風を熱源に集中させて、確実に加熱することができる。
【図面の簡単な説明】
【００２３】
【図１】扇風機を略示する斜視図である。
【図２】扇風機を略示する分解斜視図である。
【図３】扇風機を略示する分解右側面図である。
【図４】前枠、安全柵、及びヒータカバーの記載を省略した扇風機の正面図である。
【図５】前枠、安全柵、及びヒータカバーの記載を省略した扇風機の縦断面図である。
【図６】シャッタを略示する正面図である。
【図７】図６のＶＩＩ−ＶＩＩ線を切断線とした端面図である。
【図８】後方から視認したシャッタを略示する斜視図である。
【図９】ヒータがオフ状態である場合における前枠、安全柵、通気部の記載を省略した扇風機の正面図である。
【図１０】図９のＡで示す丸で囲った部分の拡大図である。
【図１１】ヒータがオン状態である場合における前枠、安全柵、ヒータカバー、通気部の記載を省略した扇風機の正面図である。
【図１２】図１１のＢで示す丸で囲った部分の拡大図である。
【図１３】収容部の姿勢が前傾姿勢である場合における回転軸付近の構成を切断した右側面断面図である。
【図１４】収容部の姿勢が真上を向いた姿勢である場合における回転軸付近の構成を切断した右側面断面図である。
【図１５】制御部による運転処理を説明するフローチャートである。
【発明を実施するための形態】
【００２４】
以下本発明を実施の形態に係る扇風機を示す図面に基づいて説明する。図１は、扇風機を略示する斜視図、図２は、扇風機を略示する分解斜視図、図３は、扇風機を略示する分解右側面図である。なお以下の説明では、図に示す上下前後左右を使用する。
【００２５】
扇風機はスタンド１を備える。スタンド１は、円形の基台２と、支持円柱３とを備える。円形の基台２の右側面にリモコン収納孔２ａが形成されている。リモコン収納孔２ａにはリモコン１００が収納される。
【００２６】
基台２の上面中央部に挿入孔２ｄが設けられている。基台２の上面前側に、扇風機を操作するための複数のスイッチ２ｂと、扇風機の状態を示す複数のランプ２ｃとが設けられている。基台２の内部には、扇風機の駆動を制御する制御部９０が設けられている。制御部９０は、後述するモータ１１及びヒータ１９ａの駆動を制御するための制御回路及び駆動回路を備える。支持円柱３は挿入孔２ｄに挿入されている。
【００２７】
支持円柱３の上端部に支持部４が設けられている。支持部４は、半円弧形をなす外枠５及び内枠６を備える。外枠５は円弧の頂点部分を下側にし、両端部を左右に向けて配置されており、前記頂点部分が支持円柱３の上端部に連結されている。内枠６は円弧の頂点部分を下側にして、外枠５の上に重ねられている。
【００２８】
内枠６の右端部は外枠５の右端部よりも上側に位置する。内枠６の右端部に、左右方向を回転軸方向とした回転軸７が支持されている。内枠６の右端部の左側に、左右方向を回転軸方向とした円形の回転板８が配置されている。回転板８は回転軸７に連結しており、回転軸７と共に回転する。
【００２９】
なお内枠６の左端部も外枠５の左端部よりも上側に位置し、内枠６の右端部と同様に、回転軸７及び回転板８が設けられている。回転板８は内枠６の左端部の右側に配置されている。内枠６の左右端部それぞれにキャップ５ａが設けられている。各キャップ５ａは内枠６の右端部及び左端部に配置された回転軸７を覆い、回転軸７は外側から視認されない。
【００３０】
内枠６の右端部における回転板８から前後方向に並んだ二つのピン９が内向きに突出している。なお図２において、前側のピン９のみが表されている。内枠６の左端部における回転板８から前後方向に並んだ二つのピン９が内向きに突出している。なお図において、内枠６の左端部における回転板８及びピン９の記載は省略されている。
【００３１】
内枠６の内側に、回転ファン１２を収容する収容部３０が配置されている。収容部３０は第１連結枠１６及び第２連結枠１３を備える。第１連結枠１６及び第２連結枠１３は前後方向に並んでいる。
【００３２】
第１連結枠１６は、前後方向を軸方向とした円筒状をなす。第１連結枠１６の左右側面それぞれに挿入孔１６ｆが設けられている。第２連結枠１３は第１連結枠１６の後側に配置されている。第２連結枠１３は、後方に突出したドーム状をなし、後方に突出した部分には複数のスリットが形成されている。第２連結枠１３の左右側面それぞれに挿入孔１３ｆが設けられている。
【００３３】
内枠６の左右端部それぞれにおいて、前側のピン９は第１連結枠１６の挿入孔１６ｆに挿入されている。内枠６の左右端部それぞれにおいて、後側のピン９は第２連結枠１３の挿入孔１３ｆに挿入されている。前後のピン９によって、第１連結枠１６及び第２連結枠１３は連結されている。
【００３４】
第１連結枠１６及び第２連結枠１３の内側に、前後方向を軸方向とした円筒状のモータ支持枠１０、モータ１１及び回転ファン１２が設けられている。モータ支持枠１０の中心部分にモータ１１を収容するモータ収容部が設けられている。モータ１１の回転軸はモータ収容部から後方に突出している。モータ１１の後側に回転ファン１２が配置されており、回転ファン１２はモータ１１の回転軸に連結している。
【００３５】
第２連結枠１３の後側に、後方に突出したドーム状をなす第１カバー１４及び第２カバー１５が設けられている。第１カバー１４及び第２カバー１５それぞれに、複数の貫通孔が設けられている。
【００３６】
図２及び図３に示すように、第１連結枠１６の前縁部全周から内側に環状板１６ａが突出している。環状板１６ａの前側に、シャッタ１７、通気部１８、ヒータユニット１９（熱源）及び安全柵２０が、安全柵２０を最も前側にして、順に設けられている。シャッタ１７、通気部１８、ヒータユニット１９及び安全柵２０は、円筒状の前枠２１の内側に配置されている。図１に示すように、前枠２１は第１連結枠１６に連結されている。
【００３７】
図４は、前枠２１、安全柵２０、及びヒータカバー１９ｃの記載を省略した扇風機の正面図、図５は、前枠２１、安全柵２０、及びヒータカバー１９ｃの記載を省略した扇風機の縦断面図である。なおヒータカバー１９ｃについては後述する。
【００３８】
図４に示すように、通気部１８は、前後方向を軸方向とした円形の板体１８ａを備える。板体１８ａの中央部分には、左右に延びた矩形の配置孔１８ｂが形成されている。配置孔１８ｂには、ヒータユニット１９が配置される。板体１８ａには、配置孔１８ｂから放射状に延びた複数の第１通気孔１８ｃが設けられている。第１通気孔１８ｃは扇形をなし、径方向外側における周方向の幅が径方向内側における幅よりも大きい。
【００３９】
板体１８ａにおいて、隣合う二つの第１通気孔１８ｃの間の部分及び第１通気孔１８ｃと配置孔１８ｂとの間の部分は、境界部１８ｄを構成する。図５に示すように、通気部１８と第１連結枠１６との間にシャッタ１７が配置されている。
【００４０】
図６は、シャッタ１７を略示する正面図、図７は、図６のＶＩＩ−ＶＩＩ線を切断線とした端面図、図８は、後方から視認したシャッタ１７を略示する斜視図である。
【００４１】
シャッタ１７は、前後方向を軸方向とした円盤１７ａを備える。円盤１７ａの中央部分には、左右に延びた矩形の開口１７ｂが形成されている。開口１７ｂは配置孔１８ｂの略真後ろに位置する。
【００４２】
開口１７ｂよりも上側において、正面視半円形の壁１７ｃが円盤１７ａの外周部分に沿って設けられている。壁１７ｃは円盤１７ａから前方に突出している。開口１７ｂよりも下側においても、正面視半円形の壁１７ｃが円盤１７ａの外周部分に沿って設けられている。壁１７ｃは円盤１７ａから前方に突出している。
【００４３】
円盤１７ａには、開口１７ｂと上側の壁１７ｃとの間及び開口１７ｂと下側の壁１７ｃとの間において、開口１７ｂから放射状に延びた複数の第２通気孔１７ｄが設けられている。円盤１７ａにおいて、隣合う二つの第２通気孔１７ｄの間の部分及び第２通気孔１７ｄと開口１７ｂとの間の部分は、第１通気孔１８ｃを閉鎖する閉鎖部１７ｅをそれぞれ構成する。
【００４４】
図７に示すように、閉鎖部１７ｅは後方に向かうに従って、先細りになるように、後方に突出している。即ち、周方向において、閉鎖部１７ｅの後部の幅は、閉鎖部１７ｅの前部の幅よりも短くなる。
【００４５】
径方向において、円盤１７ａにおける上側及び下側の壁１７ｃよりも外側の部分（以下フランジ１７ｆという）に、切欠状の複数の凹部１７ｇが形成されている。複数の凹部１７ｇは周方向に並んでいる。フランジ１７ｆの下端部には、取手１７ｈが設けられている。取手１７ｈはフランジ１７ｆから下方に突出している。
【００４６】
ヒータユニット１９の構成について説明する。図３に示すように、ヒータユニット１９は回転ファン１２の前側に配置されており、回転ファン１２の回転中心軸Ｐ上に配置されている。図３及び図４に示すように、ヒータユニット１９は、二つのヒータ１９ａと、ヒータ１９ａの前側に設けられたヒータカバー１９ｃと、ヒータ１９ａの後側に設けられており、ヒータ１９ａを支持する支持枠１９ｂとを備える。
【００４７】
支持枠１９ｂは左右に長い矩形状をなし、配置孔１８ｂ及び開口１７ｂに挿入されている。通気部１８の前側において、二つのヒータ１９ａは支持枠１９ｂに支持されている。図４に示すように、二つのヒータ１９ａは左右に並ぶ。二つのヒータ１９ａの間に回転ファン１２の回転中心軸Ｐが配置されている。ヒータ１９ａの回転中心軸Ｐ側部分が支持枠１９ｂに連結している。
【００４８】
換言すれば、ヒータ１９ａの支持枠１９ｂとの連結部分は、回転中心軸Ｐ側に配置されている。ヒータ１９ａの連結部分は発熱せず、ヒータ１９ａにおける連結部分の反対側部分は発熱する。ヒータ１９ａは支持枠１９ｂの下部、換言すれば支持枠１９ｂのスタンド１側部分に配置されている。ヒータカバー１９ｃは左右に長い矩形状をなし、前後に貫通した格子状の複数の孔を備える。ヒータカバー１９ｃは二つのヒータ１９ａの前部を覆う。ヒータ１９ａとしては、例えばＰＴＣヒータ(Positive Temperature Coefficient heater)が挙げられる。なお三つ以上のヒータ１９ａを設けてもよい。
【００４９】
図９は、ヒータ１９ａがオフ状態である場合における前枠２１、安全柵２０、通気部１８の記載を省略した扇風機の正面図、図１０は、図９のＡで示す丸で囲った部分の拡大図である。
【００５０】
図９に示すように、前述した環状板１６ａには、貫通孔１６ｂが形成されている。貫通孔１６ｂは凹部１７ｇの内側に配置されている。図１０に示すように、環状板１６ａの後側にスイッチ２５が配され、該スイッチ２５は貫通孔１６ｂから前方に突出している。スイッチ２５はプッシュスイッチである。
【００５１】
環状板１６ａに、周方向に延びた第１部分１６ｃ１と、該第１部分の右端から径方向中央側に向けて突出した第２部分１６ｃ２とを有する壁体１６ｃが設けられている。壁体１６ｃは前方に突出し、その突出端部はシャッタ１７よりも前側に配置される。径方向において、第１部分１６ｃ１は貫通孔１６ｂの外側に位置する。第２部分１６ｃ２は貫通孔１６ｂの右側に位置する。
【００５２】
図１０に示すように、スイッチ２５は凹部１７ｇの内側に配置されている。この場合、閉鎖部１７ｅは境界部１８ｄの後側に配置され、第１通気孔１８ｃは開いている。スイッチ２５から第１通気孔１８ｃが開いていることを示す信号が制御部９０に入力され、制御部９０はヒータ１９ａをオフにする。制御部９０がモータ１１を駆動させた場合、前方への送風が実行される。制御部９０は回転ファン１２を、第１回転速度で回転させて、送風を実行する。制御部９０は第１風量で送風を実行する。
【００５３】
図１１は、ヒータ１９ａがオン状態である場合における前枠２１、安全柵２０、ヒータカバー１９ｃ、通気部１８の記載を省略した扇風機の正面図、図１２は、図１１のＢで示す丸で囲った部分の拡大図である。
【００５４】
ユーザが取手１７ｈを操作し、シャッタ１７を正面視時計回りに回転させた場合、凹部１７ｇの左縁部が第２部分１６ｃ２に当接する。この場合、閉鎖部１７ｅは第１通気孔１８ｃの後側に配置され、第１通気孔１８ｃを閉じている。配置孔１８ｂの後側に開口１７ｂが配置されており、配置孔１８ｂは閉鎖されない。配置孔１８ｂ及び開口１７ｂは前後方向に連通される。
【００５５】
またフランジ１７ｆによって貫通孔１６ｂは塞がれ、スイッチ２５はフランジ１７ｆによって押される。スイッチ２５から第１通気孔１８ｃが閉じていることを示す信号が制御部９０に入力され、制御部９０はヒータ１９ａをオンにする。
【００５６】
制御部９０がモータ１１を駆動させた場合、前方への送風が実行される。制御部９０は回転ファン１２を、第１回転速度よりも低速の第２回転速度で回転させて、送風を実行する。制御部９０は第１風量よりも小さい第２風量で送風を実行する。第１通気孔１８ｃが閉じているので、風は配置孔１８ｂ及び開口１７ｂに集中し、ヒータユニット１９に集中する。風はヒータユニット１９にて加熱され、温風が安全柵２０から送出される。
【００５７】
図１３は、収容部３０の姿勢が前傾姿勢である場合における回転軸７付近の構成を切断した右側面断面図である。図１３に示すように、内枠６の右端部の左側面には、左方向に突出した被係止部６ａと、予備ストッパ６ｂとが設けられている。被係止部６ａは下側に配置されており、予備ストッパ６ｂは上側に配置されている。また内枠６の左端部の右側面にも、被係止部６ａと、予備ストッパ６ｂとが設けられている。
【００５８】
円形の回転板８には、径方向に突出した第１係止部８ａ及び第２係止部８ｂが設けられている。第１係止部８ａ及び第２係止部８ｂは、回転板８の軸回りに略１００度の位相差で周方向に離隔配置されている。第１係止部８ａ及び第２係止部８ｂの間に、被係止部６ａが配置されている。第１係止部８ａは被係止部６ａよりも前側に位置し、第２係止部８ｂは被係止部６ａよりも後側に位置する。なお内枠６の左端部においても、第１係止部８ａ及び第２係止部８ｂが設けられている。
【００５９】
ユーザが収容部３０を前側に倒した場合、回転軸７及び回転板８は、右側面視反時計回りに回転し、第１係止部８ａが被係止部６ａに当接して、回転が停止される。このとき、取手１７ｈも外枠５に当接する。
【００６０】
図１４は、収容部３０の姿勢が真上を向いた姿勢である場合における回転軸７付近の構成を切断した右側面断面図である。ユーザが収容部３０を後側に倒した場合、回転軸７及び回転板８は、右側面視時計回りに回転し、第２係止部８ｂが被係止部６ａに当接して、回転が停止される。
【００６１】
図１５は、制御部９０による運転処理を説明するフローチャートである。なお初期状態においてモータ１１及びヒータ１９ａはオフになっている。制御部９０は、スイッチ２ｂが操作され、スイッチ２ｂからモータ１１のオン信号が入力されるまで待機する（ステップＳ１：ＮＯ）。スイッチ２ｂからモータ１１のオン信号が入力された場合（ステップＳ１：ＹＥＳ）、制御部９０は、スイッチ２５から第１通気孔１８ｃが閉じていることを示す信号が入力されているか否かを判定する（ステップＳ２）。
【００６２】
スイッチ２５から第１通気孔１８ｃが閉じていることを示す信号が入力されていない場合（ステップＳ２：ＮＯ）、即ち、スイッチ２５から第１通気孔１８ｃが開いていることを示す信号が入力されている場合、制御部９０はモータ１１を回転させて、回転ファン１２を第１回転速度で回転させる（ステップＳ３）。
【００６３】
スイッチ２５から第１通気孔１８ｃが閉じていることを示す信号が入力されている場合（ステップＳ２：ＹＥＳ）、制御部９０はヒータ１９ａにオン信号を出力し（ステップＳ４）、モータ１１を回転させて、回転ファン１２を第２回転速度で回転させる（ステップＳ５）。
【００６４】
ステップＳ３又はステップＳ５において、回転ファン１２を第１回転速度又は第２回転速度で回転させる処理を実行した場合、制御部９０はスイッチ２ｂが操作され、スイッチ２ｂからモータ１１のオフ信号が入力されたか否かを判定する（ステップＳ６）。モータ１１のオフ信号が入力されていない場合（ステップＳ６：ＮＯ）、制御部９０はステップＳ６に処理を戻す。
【００６５】
モータ１１のオフ信号が入力されている場合（ステップＳ６：ＹＥＳ）、制御部９０はモータ１１をオフにし、ヒータ１９ａをオフにして（ステップＳ７）、処理を終了する。
【００６６】
実施の形態に係る扇風機にあっては、シャッタ１７が第１通気孔１８ｃを閉鎖した場合、配置孔１８ｂ及び開口１７ｂは連通される。風は第１通気孔１８ｃを通流することができないので、配置孔１８ｂ及び開口１７ｂに集中する。配置孔１８ｂにヒータユニット１９が配置されているので、風はヒータユニット１９に集中する。簡素な構成にて、風をヒータユニット１９に集中させて、確実に加熱することができる。
【００６７】
閉鎖部１７ｅの幅は回転ファン１２側（風の上流側）が短く、回転ファン１２の反対側（風の下流側）が長い。風の下流側の幅が長いので、閉鎖部１７ｅが第１通気孔１８ｃを閉鎖する場合、確実に閉鎖することができる。閉鎖部１７ｅが第１通気孔１８ｃを閉鎖していない場合、第１通気孔１８ｃ及び第２通気孔１７ｄは連通され、閉鎖部１７ｅは、風の通流方向において、第１通気孔１８ｃ及び第２通気孔１７ｄに重ならない位置に配されている。閉鎖部１７ｅの上流側の幅は狭いので、閉鎖部１７ｅが第１通気孔１８ｃに向かう風の流れを妨げることを抑制することができる。
【００６８】
シャッタ１７が第１通気孔１８ｃを閉じた場合にヒータユニット１９がオンになり、ヒータユニット１９に当たった風は加熱される。シャッタ１７が第１通気孔１８ｃを開いた場合にヒータユニット１９がオフになり、ヒータユニット１９に当たっても風は加熱されず、ユーザに涼風を提供することができる。シャッタ１７の開閉切り替えと、温風及び涼風の切り替えを対応させることができる。
【００６９】
またシャッタ１７が第１通気孔１８ｃを開いた場合に、第１風量で送風が実行され、シャッタ１７が第１通気孔１８ｃを閉じた場合に、第１風量よりも小さい第２風量で送風が実行される。シャッタ１７が第１通気孔１８ｃを閉じた場合、風量が小さくなり、風量が小さくならない場合に比べて、風はより高い温度に加熱され、ユーザに供給される。一方、シャッタ１７が第１通気孔１８ｃを開いた場合に風量は大きくなり、ユーザに大風量が供給され、ユーザにより涼しい環境を提供することができる。
【００７０】
また第１係止部８ａ又は第２係止部８ｂが被係止部６ａに当接することによって、収容部３０が回転しすぎることを防止できる。またシャッタ１７の取手１７ｈは支持部４に当接するので、ストッパとしても機能する。
【００７１】
また二つのヒータ１９ａと支持枠１９ｂとの連結部分が、回転ファン１２の回転中心軸Ｐ側に配置されている。回転中心軸Ｐ付近の風は、回転中心軸Ｐから離れた箇所の風に比べて、風量が小さい。ヒータ１９ａの連結部分は発熱しないので、連結部分を回転中心軸Ｐ側に配置することによって、ヒータ１９ａの発熱部分は、回転中心軸Ｐから離れた箇所、即ち風量の大きい箇所に配置され、風を効率良く加熱することができる。
【００７２】
またヒータ１９ａはスタンド１側、換言すれば下側に配置されているので、床面に温風が届きやすくなる。
【００７３】
スイッチ２５はプッシュスイッチであるが、これに限定されない。例えばプッシュスイッチに代えて、光センサ又は超音波センサ等を使用し、第１通気孔１８の開／閉信号を制御部９０に入力してもよい。
【００７４】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００７５】
１  スタンド
４  支持部
６ａ  被係止部
８ａ  第１係止部
８ｂ  第２係止部
１２  回転ファン
１７  シャッタ
１７ｂ  開口
１７ｄ  第２通気孔
１７ｅ  閉鎖部
１７ｈ  取手
１８  通気部
１８ｂ  配置孔
１８ｃ  第１通気孔
１９  ヒータユニット（熱源）
１９ａ  ヒータ
１９ｂ  支持枠
１９ｃ  ヒータカバー
２５  スイッチ（検知部）
３０  収容部
９０  制御部
Ｐ  回転中心軸
【図１】
2018178834.tif 000003
【図２】
2018178834.tif 000004
【図３】
2018178834.tif 000005
【図４】
2018178834.tif 000006
【図５】
2018178834.tif 000007
【図６】
2018178834.tif 000008
【図７】
2018178834.tif 000009
【図８】
2018178834.tif 000010
【図９】
2018178834.tif 000011
【図１０】
2018178834.tif 000012
【図１１】
2018178834.tif 000013
【図１２】
2018178834.tif 000014
【図１３】
2018178834.tif 000015
【図１４】
2018178834.tif 000016
【図１５】
2018178834.tif 000017